(57)【要約】      （修正有）【課題】簡単な構造によって、消火用ホースの引き出しの際に、消火用ホースがホース収納部から出てくる勢いを抑えることができる消火栓装置を提供する。【解決手段】筐体２内部のホース収納部５に消火用ホース４が内巻きに収納され、前記筐体２の前面に設けられた前傾扉３が開かれて、前記消火用ホース４が引き出されるよう構成された消火栓装置１において、前記前傾扉３の内側３ａに、前記消火用ホース４が挿通される挿通口を形成する挿通部と前記前傾扉に取り付けられる支持部を有するホースガイド７であって、前記挿通部と前記支持部の少なくとも一方が変形可能であるホースガイド７を設けたことを特徴とする。【選択図】図１
2011212075.tif 000002
【特許請求の範囲】
【請求項１】
筐体内部のホース収納部に消火用ホースが内巻きに収納され、前記筐体の前面に設けられた前傾扉が開かれて、前記消火用ホースが引き出されるように構成された消火栓装置において、
前記前傾扉の内側に、前記消火用ホースが挿通される挿通口を形成する挿通部と前記前傾扉に取り付けられる支持部を有するホースガイドであって、前記挿通部と前記支持部の少なくとも一方が変形可能であるホースガイドを設けたことを特徴とする消火栓装置。
【請求項２】
前記挿通部と前記支持部の少なくとも一方が弾性体により形成されていることを特徴とする請求項１に記載の消火栓装置。
【請求項３】
前記弾性体が、シリコンゴム、ネオプレンゴム、ブチルゴム系、二トリルゴム系、ウレタンエラストマー、天然ゴム又はフッ素ゴム等のゴム、又はバネであることを特徴とする請求項２に記載の消火栓装置。
【発明の詳細な説明】
【技術分野】
【０００１】
この発明は、消火栓装置に関し、より詳細には消火用ホースが装置内に内巻きに収納される消火栓装置に関する。
【背景技術】
【０００２】
例えば、トンネル等に設置される消火栓装置は、先端にノズルを有する消火用ホースを備えているが、一般に、消火用ホースは、常時は装置内部に巻き付けられた状態で収納されており、火災時に装置外部に引き出されて消火に用いられるようになっている。
【０００３】
この種の消火栓装置において、消火用ホースが装置内部に内巻きに巻き付けられて収納される所謂内巻き式の消火栓装置がある。
【０００４】
内巻き式の消火栓装置は、装置内部にホース収納部を備え、そのホース収納部内に外側から中心側に向けて順次消火用ホースを巻き付けて収納できるようになっており、そのホース収納部には、消火用ホースをホース収納部から引き出すことができるように、また消火用ホースをホース収納部に収納することができるように、前部に開口部が設けられている。
【０００５】
一般に、内巻き式の消火栓装置には、消火用ホースを消火水が供給された状態で引き出す際に、消火用ホースがその重みや消火水の圧力等によって強い勢いでホース収納部から出てくるために、必要以上にホース収納部から外部に出てしまうという問題がある。
【０００６】
そこで、例えば、特開２００３−３８６７５号公報（特許文献１）に記載の消火栓装置のように、装置筐体の前面を傾動して開閉する前傾扉の内側に消火用ホースが挿通されるホースガイドを設け、そのホースガイドに消火用ホースを接触させて、消火用ホースに摩擦抵抗を与え、それにより消火用ホースが必要以上に出てこないようにしたものがある。
【先行技術文献】
【特許文献】
【０００７】
【特許文献１】特開２００３−３８６７５号公報
【発明の概要】
【発明が解決しようとする課題】
【０００８】
しかしながら、消火用ホースの引き出し時、消火用ホースを想定外の方向に、急激に且つ強く引っ張った場合、消火用ホースが前記のホースガイドに強く押し付けられて、そこで折れるように曲がってしまい、一時的に消火水の放出量が低下してしまう可能性がある。また、これと同様の現象は、消火用ホースを規定の長さまで全て引き出し、それ以上引き出すことができない状態でさらに引っ張った場合にも生じる可能性がある。
【０００９】
この発明は、前記の事情に鑑み、消火用ホースが強く押し付けられても、消火用ホースが折れるように曲がってしまうのを防ぐことができるホースガイドを備えた消火栓装置を提供することを目的とする。
【課題を解決するための手段】
【００１０】
この発明は、筐体内部のホース収納部に消火用ホースが内巻きに収納され、前記筐体の前面に設けられた前傾扉が開かれて、前記消火用ホースが引き出されるように構成された消火栓装置において、前記前傾扉の内側に、前記消火用ホースが挿通される挿通口を形成する挿通部と前記前傾扉に取り付けられる支持部を有するホースガイドであって、前記挿通部と前記支持部の少なくとも一方が変形可能であるホースガイドを設けたことを特徴とする消火栓装置である。
【００１１】
また、この発明は、前記挿通部と前記支持部の少なくとも一方が弾性体により形成されていることを特徴とする消火栓装置である。
【００１２】
また、この発明は、前記弾性体が、シリコンゴム、ネオプレンゴム、ブチルゴム系、二トリルゴム系、ウレタンエラストマー、天然ゴム又はフッ素ゴム等のゴム、又はバネであることを特徴とする消火栓装置である。
【発明の効果】
【００１３】
この発明によれば、ホースガイドの挿通口を形成する挿通部と支持部の少なくとも一方を変形可能としていることで、消火用ホースが引き出される際、例えば、ホースガイドに当たる部分を支点として消火用ホースが折れ曲がるような方向に引っ張られて、消火用ホースがホースガイドに強く押し付けられたとしても、ホースガイドの挿通部及び／又は支持部が変形して、消火用ホースを引っ張る力を吸収するので、消火用ホースに加わる力を軽減することができ、消火用ホースを折れ曲がり難くすることができる。
【００１４】
即ち、この発明によれば、消火用ホースが強く押し付けられても、消火用ホースが折れるように曲がってしまうのを防ぐことができるホースガイドを備えた消火栓装置を提供することができる。
【００１５】
また、この発明によれば、ホースガイドの少なくとも一部が、折り曲げた状態で前傾扉を閉じることができ、ホースガイドを収納する奥行きが少なくて済むため、消火栓装置を薄型化できる。
【図面の簡単な説明】
【００１６】
【図１】この発明の消火栓装置の実施形態を示し、前傾扉を開けた状態における全体の斜視図である。
【図２】ホースガイドに消火用ホースが挿通されている状態を示した説明図であって、（ａ）が消火用ホースが曲げられていない状態を示し、（ｂ）が消火用ホースが曲げられている状態を示したものである。
【図３】他の態様のホースガイドの場合の図２に相当する図である。
【発明を実施するための形態】
【００１７】
この発明の実施の形態を図１乃至３に基づき説明する。
【００１８】
消火栓装置１は、例えば道路のトンネル等に設置されるものである。また、この消火栓装置１は、先端にノズル４ａを有する消火用ホース４が内巻きに収納される所謂内巻き式のものである。
【００１９】
図１に示すように、消火栓装置１は、筐体２内に、先端にノズル４ａを有する消火用ホース４が内巻きに収納されるホース収納部５を備えており、また、図示は省略するが、消火用ホース４に消火水を供給するための消火栓弁や配管等も備えている。筐体２の前部には開口２ａが設けられており、開口２ａは前傾扉３によって開閉可能になっている。前傾扉３の内側３ａには消火栓弁の操作レバー６が設けられており、操作レバー６を開操作すれば、消火栓弁が開き、消火水が消火用ホース４に供給され、ノズル４ａから放出されるようになっている。なお、消火を行う際には、ノズル４ａを持った状態で操作レバー６を開操作して、消火栓弁を開いて消火水を消火用ホース４に供給した後、火災発生場所までノズル４ａを引っ張って行き消火を行う。
【００２０】
ホース収納部５は前部に開口部５ａを有しており、開口部５ａから消火用ホース４を外部に引き出したり、内部に収納したりすることができるようになっている。
【００２１】
前傾扉３の内側３ａには、図２に示すように、消火用ホース４が挿通される挿通口を形成する挿通部７ａと前傾扉３の内側３ａに取り付けられる支持部７ｂとを有するホースガイド７が設けられている。
【００２２】
ここで、消火の際、消火用ホース４は、ホース収納部から引き出さないときには、消火水の圧力によって、消火用ホース４の内巻き径が広がるように真っ直ぐ伸びようとするため、ホース収納部５の壁に押し当てられて静止している。しかし、消火用ホース４を引き出すために、消火用ホース４にホース収納部５の内部から開口部５ａに向かう力を少しでも与えると、消火用ホース４は、消火水の圧力によって、ホース収納部５の内部から開口部５ａに向かって真っ直ぐ伸びようとして、引き出した以上に開口部５ａから飛び出してしまう。ところが、ホースガイド７が設けられていることで、消火用ホース４の引き出し時に、消火用ホース４が接触するため、消火用ホース４に摩擦抵抗が与えられて、消火用ホース４が必要以上に出てしまうのを防ぐことができるようになっている。
【００２３】
ホースガイド７としては、消火用ホース４を挿通させることができ、前傾扉３の内側３ａに取り付けることのできるものであれば、種々の形状のものを用いることができ、例えば、図１及び図２に示すように、コ字状の挿通部７ａの両脚部を支持部７ｂとしたものとしてもよいし、図３に示すように、環状の挿通部７ａに支持部７ｂを連結したものとしてもよい。
【００２４】
そして、ホースガイド７は、その挿通部７ａと支持部７ｂの少なくとも一方、好ましくは両方、即ち略全体が変形可能な部材、例えば弾性体によって形成されたものとなっている。なお、その弾性体は、例えば、シリコンゴム、ネオプレンゴム、ブチルゴム系、二トリルゴム系、ウレタンエラストマー、天然ゴム又はフッ素ゴム等のゴム、又はバネ等とすることができる。
【００２５】
ホースガイド７がその挿通部７ａと支持部７ｂの少なくとも一方が変形可能な材料によって形成されていることで、消火用ホース４が引き出される際、例えば、図２（ｂ）及び図３（ｂ）に示すように、ホースガイド７に当たる部分を支点として消火用ホース４が折れ曲がるような方向Ａ１に引っ張られて、消火用ホース４がホースガイド７に強く押し付けられたとしても、ホースガイド７の挿通部７ａ及び／又は支持部７ｂが引っ張り方向Ａ１に変形して（図示の例はホースガイド７の挿通部７ａと支持部７ｂの両方が変形可能な材料で形成されている場合のものであり、全体的に変形している。）、消火用ホース４を引っ張る力を吸収するようになっており、それにより消火用ホース４に加わる力を軽減することができ、消火用ホース４を折れ曲がり難くすることができるようになっている。
【００２６】
従って、消火栓装置１は、ホースガイド７に消火用ホース４が強く押し付けられても、消火用ホース４が折れるように曲がってしまうのを防ぐことができるようになっていて、大きな力が瞬間的にかかってしまうような場合に特に有効である。
【００２７】
なお、ホースガイド７は前記のように変形可能な材料によって形成されているが、ホースガイド７を折り曲げることができる程、変形可能なものとすることで、ホースガイド７は、前傾扉３が全開時に通常の形状となる一方、前傾扉３が全閉時に少なくとも一部が折り曲げられた収納時形状とすることができる。これにより、従来、消火栓装置１を薄型化するために、ホースガイドは、前傾扉を閉じたときにホース収納部５の開口部５ａにホースガイド７が収納される位置に設ける必要があったが、ホースガイド７は、消火用ホース４に適切に摩擦抵抗を与え、また、消火用ホース４を引っ張る力を適切に吸収できる位置であれば、前傾扉３の内側３ａの任意の位置に設置することができる。また、ホースガイド７を収納する奥行きが少なくて済むため、消火栓装置を薄型化できる。
【符号の説明】
【００２８】
１：消火栓装置        ２：筐体              ２ａ：開口
３：前傾扉            ３ａ：内側            ４：消火用ホース
４ａ：ノズル          ５：ホース収納部      ５ａ：開口部
６：操作レバー        ７：ホースガイド      ７ａ：挿通部
７ｂ：支持部
【図１】
2011212075.tif 000003
【図２】
2011212075.tif 000004
【図３】
2011212075.tif 000005